(57)【要約】【課題】記録手段内に記録された音声ファイルの内容を直感的に認識することが可能であり、また、この音声ファイルを視覚的に容易に検索して再生することが可能な音声記録再生機器を提供すること。【解決手段】音声を記録部に記録させる録音が開始されたときには（ステップＳ５３）、撮像素子を動作させて撮影を開始し、この結果得られた画像を記録部に記録させる（ステップＳ５６）。その後、記録部に記録させた画像を録音した音声を特定するための画像としてアイコン化する（ステップＳ７４）。【選択図】    図６
2004266535.tif 000002
【特許請求の範囲】
【請求項１】
音声を録音する録音手段と、
この録音手段による音声信号を１つの音声ファイルとして記録する音声記録手段と、
被写体を撮影する撮影手段と、
この撮影手段によって撮影された画像を記録する画像記録手段と、
この画像記録手段に記録された画像を上記音声信号を表すアイコン画像として特定する特定手段と、
を具備することを特徴とする音声記録再生機器。
【請求項２】
上記撮影手段の撮影時における画角を変更する画角変更手段と、
上記撮影手段によって被写体を撮影しているときに、上記画角変更手段によって上記画角を広角側に切り換える切換制御手段と、
を更に具備することを特徴とする請求項１に記載の音声記録再生機器。
【請求項３】
上記撮影手段に複数回の撮影を行わせる撮影制御手段と、
この撮影制御手段による上記撮影手段の複数回の撮影の結果として得られた複数の画像の中から上記アイコン画像を選択可能とする選択手段と、
を更に具備することを特徴とする請求項１に記載の音声記録再生機器。
【請求項４】
上記複数回の撮影の結果として得られた複数の画像の中で異なる画像を選択して表示する表示手段を更に具備することを特徴とする請求項３に記載の音声記録再生機器。
【請求項５】
上記画像記録手段は、上記複数回の撮影の結果として得られた複数の画像の中で異なる画像のみを選択して記録することを特徴とする請求項３に記載の音声記録再生機器。
【請求項６】
上記録音手段は、上記撮影手段によって被写体が撮影されるのに続いて音声の録音を開始することを特徴とする請求項１に記載の音声記録再生機器。
【請求項７】
上記撮影手段によって撮影を行っている間の撮影範囲を変更する撮影範囲変更手段を更に具備することを特徴とする請求項１に記載の音声記録再生機器。
【請求項８】
上記録音手段による録音終了後に、撮影を行うように警告する警告手段を更に具備することを特徴とする請求項１に記載の音声記録再生機器。
【請求項９】
被写体にストロボ光を投光するストロボ手段と、
上記撮影手段によって上記被写体を撮影するときに上記ストロボ手段の動作を禁止する禁止手段と、
を更に具備することを特徴とする請求項１に記載の音声記録再生機器。
【請求項１０】
上記撮影手段によって撮影した画像を上記画像記録手段に記録させるときには、通常撮影時の画像よりも低解像度の画像を記録させる低解像度記録手段を更に具備することを特徴とする請求項１に記載の音声記録再生機器。
【請求項１１】
上記撮影手段による撮影の間は固定焦点で撮影を行うことを特徴とする請求項１に記載の音声記録再生機器。
【請求項１２】
所定期間内に入力された音声を録音する録音手段と、
この録音手段によって録音された音声を音声信号として記録する音声記録手段と、
この音声記録手段に記録された音声信号を音声として再生する音声再生手段と、
上記所定期間内に被写体を撮影する撮影手段と、
この撮影手段によって撮影された被写体の画像を記録する画像記録手段と、
この画像記録手段に記録された被写体の画像を、上記音声信号を表すための画像として特定する特定手段と、
この特定手段により特定された画像に基づいて、上記音声記録手段に記録された上記音声信号を上記音声再生手段を用いて音声として再生する再生制御手段と、
を具備することを特徴とする音声記録再生機器。
【発明の詳細な説明】
【０００１】
【発明の属する技術分野】
本発明は、音声の録音及び再生が可能な音声記録再生機器に関する。
【０００２】
【従来の技術】
音声録音及び音声再生可能な機器はＩＣレコーダなど様々なものが提案されており、また、近年では、デジタルカメラにおいても音声録音及び音声再生可能なものが提案されている。例えば、特許文献１はカメラにマイクロホン（以下、マイクと称する）及びスピーカを内蔵させたものに関する提案である。
【０００３】
また、音声ファイルとして記録手段に記録させたファイルをユーザが簡単に取り扱えるようにするファイル管理の技術が特許文献２や特許文献３等で提案されている。特許文献２では音声信号の検索を容易にするために、記録手段内に記録させた音声ファイル、即ち、その音声信号を識別するためのアイコンを作成する。なお、この特許文献２では記録させた音声の振幅波形や音圧波形、周波数分布などをアイコンとして表示させている。また、特許文献３では外部からの音声を認識し、その認識した音声に対応する画像ファイルを検索して表示を行わせている。
【０００４】
【特許文献１】
特開２００２−２２３４０３号公報
【０００５】
【特許文献２】
特開平７−１６０４６６号公報
【０００６】
【特許文献３】
特開平９−１３５４１７号公報
【０００７】
【発明が解決しようとする課題】
前述した特許文献１にも記録手段内に記録させた音声ファイルに対応するアイコンを作成することが提案されているが、これは記録させたファイルが音声ファイルであることが分かるように、所定の図柄のアイコンを作成するものである。このため、作成されたアイコンをユーザが見ても、そのアイコンに対応するファイルが音声ファイルであることが分かるだけで、この音声ファイルにどのような内容の音声が記録されているのかを直感的に認識することは困難である。
【０００８】
また、特許文献２では、音声の内容を音声信号の振幅波形や音圧波形、周波数分布などを用いてアイコン表示を行う。しかし、一般のユーザにとっては音声信号の波形を見ただけでは、どのような内容の音声が記録されているのかを判断することはやはり困難である。
【０００９】
更に特許文献３の提案においても、複数のファイルが記録されている場合には、記録手段内にどのようなデータが記録されているのかを直感的に認知することは困難である。
【００１０】
本発明は、上記の事情に鑑みてなされたもので、記録手段内に記録されている音声ファイルの内容を直感的に認識することが可能であり、また、この音声ファイルを視覚的に容易に検索して再生することが可能な音声記録再生機器を提供することを目的とする。
【００１１】
【課題を解決するための手段】
上記の目的を達成するために、本発明による音声記録再生機器は、音声を録音する録音手段と、この録音手段による音声信号を１つの音声ファイルとして記録する音声記録手段と、被写体を撮影する撮影手段と、この撮影手段によって撮影された画像を記録する画像記録手段と、この画像記録手段に記録された画像を上記音声信号を表すアイコン画像として特定する特定手段とを具備することを特徴とする。
【００１２】
また、上記の目的を達成するために、本発明による音声記録再生機器は、所定期間内に入力された音声を録音する録音手段と、この録音手段によって録音された音声を音声信号として記録する音声記録手段と、この音声記録手段に記録された音声信号を音声として再生する音声再生手段と、上記所定期間内に被写体を撮影する撮影手段と、この撮影手段によって撮影された被写体の画像を記録する画像記録手段と、この画像記録手段に記録された被写体の画像を、上記音声信号を表すための画像として特定する特定手段と、この特定手段により特定された画像に基づいて、上記音声記録手段に記録された上記音声信号を上記音声再生手段を用いて音声として再生する再生制御手段とを具備することを特徴とする。
【００１３】
【発明の実施の形態】
以下、本発明の実施の形態を図面を参照して説明する。その前に本発明の概念について説明する。
前述したように、近年ではデジタルカメラにおいても録音・再生機能を有するものが増加してきている。しかし、デジタルカメラの場合の録音・再生機能は動画などを再生する際の補助として用いられるものが多く、音声のみを記録する機能については十分な使いやすさが考慮された製品が提案される段階に至っていない。
【００１４】
特に、静止画の撮影時において、音声は必ずしも写真撮影時に得られるとは限らないので、音声と画像とを別々に記録できたほうが好ましい。しかし、音声と画像とを別々に記録して、音声のみを後で編集するということを想定した場合、記録されている音声ファイルが複数存在すると、それらの音声ファイルがどのような内容であるのかを検索することが困難である。即ち、このような場合には、１つ１つ再生しながら内容を確認することになり、目的の音声ファイルを検索するのに非常に多くの時間がかかる。また、それぞれの音声ファイルは視覚的に区別することができないので、これらの音声ファイルを区別するのに、録音を行うたびにファイル名を付ける必要が生じる。
【００１５】
一方、画像ファイルの検索は、撮影した画像をそのまま縮小することによってアイコン化し、このアイコンを一覧表示の形式で表示させることができるので、非常に効率の良い検索が可能である。
【００１６】
そこで、本発明では、音声ファイルについても画像ファイルと同様に、アイコンによる一覧表示の形式で表示可能とすることで、音声ファイルの検索を容易にする。また、一覧表示ができないような小型の表示部のみを有する場合には、表示させるアイコンは１つだけにしておき、その画像をユーザの任意の操作により切換可能としてもよい。
【００１７】
これらのようなアイコン表示を行うために、本発明では、デジタルカメラ等が既に有している撮影機能を有効に活用して録音時の周囲の状態を画像として記録手段に記録させる。しかし、録音時に常に撮影を行ってしまうと、消費エネルギーも大きくなるので極めて効率が悪い。そこで、本発明では、省エネルギー効果を高めつつ、各音声ファイルの差別化を図るために、録音時の画像の撮影方法に種々の工夫を加えている。
【００１８】
［第１の実施の形態］
図１に本発明の第１の実施の形態に係る音声記録再生機器（以下、単に機器と称する）の内部構成を示すブロック回路図を示す。
【００１９】
図１において制御部（ＣＰＵ）１はマイクロコンピュータ等で構成される制御部である。ＣＰＵ１はユーザによる各種スイッチの操作状態を判定して、機器全体のシーケンス、例えば、撮影シーケンスや録音シーケンス等を制御する。また、ＣＰＵ１は入力されてきたデータに基づいて測距演算などの各種演算処理も行う。
【００２０】
ＣＰＵ１に接続されているレリーズスイッチ１ａは、ユーによって撮影開始の指示がなされたか否かを検出するためのスイッチである。また、操作スイッチ部１ｂは、画像の選択や画像の拡大・縮小等を指示するためのスイッチである。
【００２１】
次に、特許請求の範囲に記載の「撮影手段」に対応する画像撮影に関連する構成及び動作について図１を用いて説明する。即ち、この撮影手段には、撮影レンズ２、ズーム／ピント制御部２ａ、撮像素子３、アナログ／デジタル（Ａ／Ｄ）変換部３ａ、画像処理部４、圧縮／伸長部６、測距部１０及びこれらの制御を司るＣＰＵ１が含まれる。
【００２２】
撮影時には、まず、測距部１０によって被写体２０までの距離、所謂、被写体距離が算出され、それに応じて撮影レンズ２のピント位置が決定される。なお、この測距部１０によるピント位置の決定は、例えば、公知の三角測距による手法を用いてもよいし、撮像素子３で取得した像信号を利用する手法でもよい。この測距部１０の動作については本実施の形態の本質ではないので、ここではその詳細な説明については省略する。
【００２３】
測距部１０によって撮影レンズ２のピント位置が決定された後、ズーム／ピント制御部２ａを介して、撮影レンズ２のピント合わせが行われる。このズーム／ピント制御部２ａは特許請求の範囲の「画角変更手段」の機能も有していて、ＣＰＵ１に制御されて撮影時の撮影レンズ２の画角、即ち、ズーム位置の変更も行う。この画角の変更については後に述べる。
【００２４】
撮影レンズ２のピント合わせが終了した後、ＣＣＤやＣＭＯＳセンサ等で構成される撮像素子３にはピントの合った状態の被写体２０の像が結像する。この撮像素子３で、被写体２０からの像が電気信号（像信号と称する）に変換された後、その像信号がＡ／Ｄ変換部３ａに出力され、Ａ／Ｄ変換部３ａにおいて入力されてきた像信号がデジタル量に変換される。その後、デジタル変換され信号が画像処理部４に出力される。
【００２５】
次に、画像処理部４では、γ補正処理、ホワイトバランス処理、エッジ処理などの各種画像処理が行われる。これらの画像処理により、得られた画像が人間の眼に見えやすいように適正化される。
【００２６】
画像処理部４において処理された画像は、圧縮／伸長部６に出力される。この圧縮／伸長部６では、入力されてきた信号が所定の圧縮方式で圧縮された後、この圧縮された信号が画像ファイルとして、記録制御部８ａを介してメモリカード等の種々の記録メディアからなる記録部８に記録される。なお、この記録部８は不揮発性の記録手段であればメモリカードに限らず使用可能である。また、この記録部８は機器に対して着脱可能なものでも、機器に内蔵のものでもよい。
【００２７】
また、このような露出制御時に、ＣＰＵ１は、被写体２０の明るさを判定し、その判定の結果に応じて、特許請求の範囲に記載の「ストロボ手段」に対応するストロボ部１１を制御して被写体２０にストロボ光が投光する。これにより、撮影時の露出が補われる。
【００２８】
次に特許請求の範囲に記載の「表示手段」に対応する構成及び動作について説明する。即ち、この表示手段に対応する構成には、ＬＣＤドライバ９ａ、表示部９、及びこれらの制御を司るＣＰＵ１が含まれる。
【００２９】
記録部８に記録させた画像ファイルを表示部９に表示させるときには、まず、記録制御部８ａを介して記録部８に記録された画像ファイルが読み出された後、圧縮／伸長部６において画像信号が伸長され、その後、この伸長された画像が、ＬＣＤドライバ９ａを介して表示部９に表示される。
【００３０】
次に、特許請求の範囲に記載の「録音手段」に対応する構成及び動作について説明する。即ち、この録音手段に対応する構成には、マイク５、アンプ５ａ、アナログ／デジタル（Ａ／Ｄ）変換部５ｂ、圧縮／伸長部６及びこれらの制御を司るＣＰＵ１が含まれる。
【００３１】
録音時では、入力された音声が、マイク５を介して電気信号に変換される。この信号はアンプ５ａで増幅された後、Ａ／Ｄ変換部５ｂでデジタル信号に変換される。
【００３２】
このようにして処理された音声信号は圧縮／伸長部６において所定の圧縮方式で圧縮され、その後、この圧縮された音声信号は、音声ファイルとして、記録制御部８ａを介して記録部８に記録される。つまり、本実施の形態において記録部８は画像ファイルの記録（特許請求の範囲に記載の「画像記録手段」）及び音声ファイルの記録（特許請求の範囲に記載の「音声記録手段」）の両方に用いられる。
【００３３】
また、特許請求の範囲に記載の「音声再生手段」の動作として、記録部８に記録された音声信号を音声として再生するときには、まず、記録制御部８ａを介して記録部８に記録された音声信号が読み出された後、圧縮／伸長部６において伸長され、そして、この伸長された音声信号がデジタル／アナログ（Ｄ／Ａ）変換器７ｂによってアナログ信号に変換される。その後、この信号はアンプ７ａによって増幅された後、スピーカ７から音声として出力される。
【００３４】
次に、記録部８に記録された音声ファイルや画像ファイルを検索するときに表示部９になされる表示について図２を用いて説明する。この図２は、音声記録再生機器の一例としてのカメラの表示部９が露出配置された状態の外観図である。
【００３５】
前述したように、本実施の形態では、ファイルの検索を容易にするために表示部９に図２に示すような一覧表示（インデックス表示）９ｂを行う。この一覧表示９ｂでは、記録部８に記録された画像ファイルや音声ファイルが、アイコンにより一覧表示される。このとき、操作スイッチ部１ｂに含まれるスイッチが操作されることによってカーソル９ｃが移動し、アイコンを選択可能である。
【００３６】
ユーザによってアイコンが選択されると、その選択したアイコンの画像が表示部９に拡大表示される。また、選択されたアイコンに対応付けられた音声ファイルが存在する場合には、スピーカ７を介して音声が再生される。なお、図２では画像ファイルと音声ファイルとを区別するために、アイコンの画像に対応付けられた音声ファイルが存在する場合には、アイコンの画像上に“音声”の文字列を併せて表示させている。
【００３７】
このように、記録部８に記録されたファイルを一覧表示とすることで、画像ファイルは勿論、音声ファイルも視覚的に容易に検索可能である。なお、図２は音声記録再生機器の例として、デジタルカメラの例を示しているが、本実施の形態は、図２のような一覧表示が可能な表示部９を備えている音声記録再生機器であれば他の機器でも応用することができる。この図２のデジタルカメラについては、後に詳しく述べる。
【００３８】
図２のような一覧表示９ｂを行うために、本実施の形態では音声の録音を行う場合には必ず、その音声を表すような特徴的な画像（以下、この画像を「アイコン画像」と称する）を撮影する。そして、このアイコン画像の記録時にはアイコン画像のデータとそれに対応する音声のデータを記録制御部８ａによって対応付けて記録させる。
【００３９】
図３に記録部８に記録されるデータの概念図を示す。記録部８に記録させた音声ファイル又は画像ファイルに関するデータのうち、ファイル名等のファイル管理情報はディレクトリエントリ８ｂに記録され、実際のデータ部分はクラスタ部８ｃに記録される。また、ディレクトリエントリ８ｂには、ファイル名の他に、クラスタ部に書き込まれたデータの先頭アドレスなどの情報も記録される。
【００４０】
図３に示すように、撮影されたアイコン画像のデータは実際のデータの一部として、クラスタ部８ｃに記録される。あるファイルが指定されると、所定のフォーマットに従って、そのファイルに対応するアイコン画像データが読み出された後、表示部９にアイコン表示される。
【００４１】
逆に、表示部９においてアイコンが選択された場合には、そのアイコンがどのファイルを示しているのかが、ＣＰＵ１内部の記録部アクセス機能部（図１には図示せず）によって判断される。そして、この判断の結果に基づいて、前述の所定のフォーマットに従って、アイコン画像データの部分が読み飛ばされて、データ部分のみが読み出される。この後は、読み出されたデータに応じて表示部９に拡大表示がなされるか、又はスピーカ７から音声として再生される。このようなデータ構造とすることにより、アイコン画像データと音声データとを同じ記録部内で管理することができる。
【００４２】
ここで、アイコン画像は録音する音声の内容を表すものであり、録音開始前、録音中、あるいは録音終了後に撮影される。例えば、打合せ等の内容を録音する場合には、録音開始前、録音中、あるいは録音終了後に、打合せ時の周囲の画像がアイコン画像として撮影される。
【００４３】
例えば、図４（Ａ）のように、ユーザ２１が人物２０と打合せしたときの内容を録音する場合には、機器１２を図のようにテーブルの上に置いて録音を開始させる。このとき、録音動作の開始に連動してアイコン画像を撮影する動作も開始して、撮影レンズ２を介して得られた画像が記録部８に記録される。
【００４４】
このとき、撮影レンズ２がズームレンズであり、かつ、そのズーム位置が望遠側に設定されていると、図４（Ｂ）の領域Ｔで示すような狭い範囲しか撮影されないので、撮影の結果、天井にある蛍光灯しか撮影されないということもある。これでは、録音終了後にこの画像を見ても、どのような内容の音声を録音したのかを全く類推できないので、アイコン画像としては好ましくない。
【００４５】
そこで、本実施の形態では、録音時には、撮影レンズ２の画角をズーム／ピント制御部２ａによって広角側に変更した後、アイコン画像を撮影する。これならば、図４（Ｂ）の領域Ｗで示す広い範囲を撮影することができるので、録音した音声の内容を容易に類推できる画像が得られる可能性が高い。
【００４６】
しかし、この場合でもアイコン用画像にふさわしい画像が得られないことも考えられる。そこで、録音開始の指示がなされた後、実際に録音動作を開始する前に、ユーザにアイコン画像の撮影を促すように警告を行うようにしてもよい。また、このような警告を録音終了後に行うようにしてもよい。このような警告を受けたユーザは、図４（Ｃ）のような自分の好みの構図でアイコン画像の撮影を行うことができる。
【００４７】
また、警告を行わず、録音中に撮影したアイコン画像を録音終了後に表示させるようにしておき、表示された画像を見たユーザがアイコン画像の再撮影を行うか否かを判断できるようにしてもよい。更には、録音中に撮影した画像がアイコン画像として適当であるか否かを機器自体に判定させるようにしてもよい。これは、例えば、撮像素子３で取得した像信号の中に主被写体を示すような高コントラストの被写体が存在するか否かを判定させるようにすればよい。
【００４８】
なお、アイコン画像をユーザに撮影させる場合でも、領域Ｔで撮影を行わせると録音した内容を類推するためのアイコン画像としては情報量が少ないと考えられるので、領域Ｗで示した画角で撮影を行わせたほうが好ましい。そこで、警告を出した後は、ズーム／ピント制御部（画角変更手段）２ａによって自動的に撮影レンズ２の画角を広角側に変更する。
【００４９】
また、アイコン画像は一覧表示の際に用いるだけであり、撮影した画像のすべての領域をアイコン化する必要はないので、図５（Ａ）で示す領域２２のように、ユーザの任意の操作により撮影画像中の一部の領域のみを限定してアイコン画像を作成できるようにしてもよい。更に、録音中にアイコン画像を複数回撮影させるようにしておき、この複数回撮影の結果の、複数のアイコン画像を図５（Ｂ）のように一覧表示して、ユーザがこの一覧表示の中から好みの画像をアイコン画像として選択できるようにしてもよい。
【００５０】
次に、このような録音時に行われるアイコン画像撮影の制御を図６のフローチャートに従って説明する。この図６の例は、録音時にアイコン画像の撮影を行い、その後、撮影されたアイコン画像を確認するための表示がなされる例である。なお、この図６のフローチャートは、例えば、機器１２に設けられた図示しない録音ボタンが操作されたときに開始させるようにすればよい。
【００５１】
図６のフローチャートが開始されると、ＣＰＵ１は、まず、特許請求の範囲に記載の「切換制御手段」の動作として、ズーム／ピント制御部２ａを制御して撮影レンズ２の画角を広角側に変更した後（ステップＳ１）、録音を開始させる（ステップＳ２）。そして、録音の開始と同時に、図示しないタイマのカウントを開始させる（ステップＳ３）。次にこのタイマが所定時間をカウントしたか否かを判定する（ステップＳ４）。ステップＳ４の判定においてタイマが所定時間をカウントしていないと判定した場合にはステップＳ８に移行する。
【００５２】
一方、ステップＳ４の判定において、タイマが所定時間を計時したと判定した場合には、撮像素子３を用いて像信号を取得する（ステップＳ５）。次に、現在取得した像信号と１回前に取得した像信号とを比較してこれらの像信号の間に大きな変化があるか否かを判定する（ステップＳ６）。このステップＳ６の判定において、像信号に大きな変化があると判定した場合には、この像信号を画像処理部４で画像処理した後、得られた画像をアイコン画像の候補として記録部８に記録させ（ステップＳ７）、その後、ステップＳ８に移行する。一方、ステップＳ６の判定において、取得した像信号に大きな変化がないと判定した場合には、撮影した画像を記録部８に記録させずにステップＳ８に移行する。
【００５３】
次のステップでは、録音が終了したか否かを判定する（ステップＳ８）。ステップＳ８の判定において録音が終了していないと判定した場合にはステップＳ３に戻り、以後、録音が終了するまでステップＳ３〜Ｓ８の動作を繰り返す。一方、ステップＳ８の判定において録音が終了したと判定した場合には次のステップＳ９に移行する。
【００５４】
即ち、本実施の形態では、録音開始から録音終了までに、画像の撮影を複数回行わせる。この制御、即ち、Ｓ３〜Ｓ８のループ制御が特許請求の範囲に記載の「撮影制御手段」に対応する。また、本実施の形態では、複数回の撮影において撮像素子３によって取得した像信号の時間的な変化を判定し、像信号に大きな変化があるときのみ、画像を記録部８に記録させている。これは、同じような画像をいくつも記録部８に記録させないようにして記録部８の記録容量を節約するためである。ここで、ステップＳ５の判定は、像信号の時間的変化により判定を行っているが、例えば、測距部１０で算出した被写体距離の時間的変化によって判定を行うようにしてもよい。
【００５５】
録音終了後は、録音中に撮影した画像を表示部９に一覧表示する（ステップＳ９）。そして、ＣＰＵ１は、アイコン画像としてふさわしい画像が存在しているか否かを判定する（ステップＳ１０）。ここでは、このステップＳ１０の判定として、撮影した各画像のコントラストを検出し、検出したコントラストに高コントラスト部分が存在するか否かを判定する。つまり、高コントラストの被写体は、ユーザが後で識別するための情報量が多いと考えられるからである。
【００５６】
ステップＳ１０の判定において、高コントラストの被写体が存在していないと判定した場合には、特許請求の範囲に記載の警告手段の動作として、ユーザにアイコン画像の再撮影を促すような警告を行う（ステップＳ１１）。この警告は、スピーカ７から音声が再生されるようにしてもよいし、ストロボ部１１などの光源から光を発するようにしてもよい。ステップＳ１１の警告後、ＣＰＵ１は、ユーザによる再撮影の開始指示があったか否かを判定する（ステップＳ１２）。ステップＳ１２の判定において、再撮影の開始指示がないと判定した場合にはステップＳ１１に戻る。一方、ステップＳ１２の判定において、再撮影の開始指示があると判定した場合には画像の撮影を行った後（ステップＳ１３）、ステップＳ１４に移行する。
【００５７】
一方、ステップＳ１０の判定において、高コントラストの被写体が存在すると判定した場合やステップＳ１３で画像の撮影が行われた後は、画像を再び一覧表示する（ステップＳ１４）。
【００５８】
本実施の形態では、一覧表示された画像において、ユーザは自分の好みの画像を選択してアイコン化することもできる。また、その選択した画像の一部のみを切り出してアイコン化することもできる。このような切り出し操作は、例えば、図５（Ａ）のような画像から領域２２部分のみをアイコン化するように画像エリアをユーザが限定指示することにより行う。図６のフローチャートにおいては、ステップＳ１５〜ステップＳ１８の制御がこの制御に該当する。
【００５９】
ステップＳ１５〜ステップＳ１８の処理の後、得られた画像をアイコン画像と特定して（特定手段）、記録部８に記録させる（ステップＳ１９）。この後、このフローチャートの録音制御を終了する。
【００６０】
ここで、ステップＳ１０の判定では、アイコン画像にふさわしい画像をＣＰＵ１に判定させるようにしているが、ユーザが表示部９に一覧表示された画像を見て、アイコン化したい画像が存在しているか否かを判定するようにしてもよい。また、ＣＰＵ１による判定とユーザによる判定とを組み合わせて使用してもよい。
【００６１】
以上説明したように、本実施の形態では、録音に際して自動的にアイコン用の画像を撮影して記録部に記録させ、このアイコン用の画像を用いて一覧表示するので、音声ファイルの管理が容易になる。また、アイコン用の画像を複数回撮影するときには、過去の画像から変化がない画像を記録させないようにしたので、記憶部の記憶容量の節約になる。
【００６２】
［第２の実施の形態］
次に、本発明の第２の実施の形態として、本発明をデジタルカメラに適用した場合について説明する。図７（Ａ）及び図７（Ｂ）に、このデジタルカメラの外観図を示す。図７（Ａ）はカメラ本体１２を斜め後方から見た外観図である。この図７（Ａ）において、カメラ本体１２の背面にはファインダ窓１２ｂが設けられている。このファインダ窓１２ｂはカメラ本体１２に設けられた開口部であり、図７（Ａ）の状態においては、ファインダ窓１２ｂを介して前述の表示部９の一部が露出している。即ち、図７（Ａ）の状態において表示部９はファインダ用の画像表示部としての機能を持ち、ユーザはこのファインダ部に表示された画像を見て撮影時の被写体の状態等を知ることができる。
【００６３】
更に、撮影者がカメラ上面に設けられたレリーズボタン１ａを押すことによって、図１のレリーズスイッチ１ａがＯＮする。ＣＰＵ１は、このレリーズスイッチ１ａのＯＮ状態を判定して、前述の撮影シーケンスを開始させる。また、カメラ本体１２の上面には前述の撮影レンズ２が設けられている。この撮影レンズ２については、後に述べる。
【００６４】
図７（Ｂ）はカメラ本体１２の前方から見た外観図である。図７（Ａ）においてカメラ本体１２の前面部１２ａにはマイク５及びカメラ本体１２を把持するためのグリップ部１２ｃが設けられている。更にカメラ本体１２の前面には前述のストロボ部１１の発光窓であるストロボ発光窓１１ａが設けられている。
【００６５】
また、カメラの前面部１２ａは開閉可能に構成されている。即ち、前面部１２ａを開いたときには、図２のようにして表示部９の全画面が露出するようになる。また、前面部１２ａを開くことによって、前面部１２ａの裏面に構成されたスピーカ７も露出するようになる。更に、この図２の状態では、操作ボタン部１ｂを操作することにより図１の操作スイッチ部１ｂに含まれる各スイッチがＯＮ／ＯＦＦして画像ファイルや音声ファイルの選択等の各種操作を行うことができる。
【００６６】
つまり、このカメラは、画像又は音声を記録する撮影モード又は録音モード時には前面部１２ａが閉じた状態で使用され、画像又は音声を再生する再生モード時には前面部１２ａが開いた状態で使用される。
【００６７】
なお、このカメラの内部構成については、図１で説明した構成がそのまま適用できるので説明を省略する。
【００６８】
図８に、このカメラのメイン動作のフローチャートを示す。なお、この図８のフローチャートでは録音前及び録音中にアイコン画像の撮影が行われる例について説明する。
【００６９】
まず、ＣＰＵ１は現在のカメラモードを判定する。即ち、図８のフローチャートのステップＳ２０、Ｓ３５、Ｓ４５では、現在のカメラモードが、録音モード、撮影モード、再生モードの何れであるのかを判定する。これらのモードの何れでもない場合には、その他の制御を行う。ここでは、その他の制御としてズーム制御（ステップＳ５２及びステップＳ５３）を図示しているが、この他の制御も存在する。また、このモード判定は、カメラの前面部１２ａの開閉状態や図示しないモードスイッチの状態等により判定できるものとする。
【００７０】
まず、ステップＳ２１から始まる録音モードの制御について説明する。現在の撮影モードが録音モードであると判定した場合には、ユーザに操作により録音開始指示がなされたか否かを判定する（ステップＳ２１）。このステップＳ２１の判定において録音開始指示がなされないと判定した場合にはステップＳ２０に戻る。一方、ステップＳ２１の判定において録音開始指示がなされたと判定した場合には、前述の第１の実施の形態と同様に撮影レンズ２の画角を広角側に変更する（ステップＳ２２）。このように撮影レンズ２の画角を広角側に変更することによって、被写界深度が深くなり、ピントの合う範囲が広くなるという効果もある。この効果を利用して、ここでは、アイコン画像の撮影のたびにピント合わせ制御を行う必要がないように撮影レンズ２のズーム位置を広角側に固定する（ステップＳ２３）。
【００７１】
次に画像の撮影を行って、これにより得られた画像を記録部８に記録させる（ステップＳ２４）。ここで、アイコン画像は高解像度で撮影する必要がないので、ステップＳ２４の撮影においては低解像度で撮影を行う。この低解像度の撮影は、例えば、撮像素子３のすべての画素から信号を読み出すのではなく、一部の画素からの信号を読み飛ばして記録させるようにすればよい。
【００７２】
アイコン画像を撮影した後、図示しないタイマの計時を開始させる（ステップＳ２５）。同時に、音声の録音を開始させる（ステップＳ２６）。次にこのタイマが所定時間を計時したか否かを判定する（ステップＳ２７）。ステップＳ２７の判定においてタイマが所定時間を計時していないと判定した場合にはステップＳ３１に移行する。
【００７３】
一方、ステップＳ２７の判定において、タイマが所定時間を計時したと判定した場合には、撮像素子３を用いて像信号を取得する（ステップＳ２８）。このステップＳ２８で取得した像信号も一部の画素の信号を読み飛ばして使用する。次に、現在取得した像信号と、この１回前に取得した像信号とを比較してこれらの像信号の間に大きな変化があるか否かを判定する（ステップＳ２９）。このステップＳ２９の判定において、像信号に大きな変化があると判定した場合には、この像信号を画像処理部４で画像処理した後、得られた画像をアイコン画像として記録部８に記録させる（ステップＳ３０）。その後、ステップＳ３１に移行する。一方、ステップＳ２９の判定において、取得した像信号に大きな変化がないと判定した場合には、撮影した画像を記録部８に記録させずにステップＳ３１に移行する。
【００７４】
ここで、ステップＳ２４及びステップＳ２８〜Ｓ３０の画像の撮影時にはストロボ部１１の発光を禁止して撮影を行うものとする（禁止手段）。即ち、アイコン画像の撮影は、ユーザが直感的に理解できるような画像を撮影することが目的であり、多少の露出不足は関係ないためである。これにより、ストロボ発光によるエネルギーの消耗を抑制することが可能である。
【００７５】
画像の記録が終了した後、録音が終了したか否かを判定する（ステップＳ３１）。ステップＳ３１の判定において録音が終了していないと判定した場合にはステップＳ２７に戻り、以後、録音が終了するまでステップＳ２７〜Ｓ３１の動作を繰り返して、複数回のアイコン画像の撮影を行う。一方、ステップＳ３１の判定において録音が終了したと判定した場合には次のステップＳ３２に移行する。
【００７６】
次に前述と同様に記録部８に記録させたアイコン画像を表示部９に表示させる（ステップＳ３２）。この後、ＣＰＵ１は選択された画像をアイコン化、即ち、アイコン画像と特定して（ステップＳ３３）。このアイコン画像データを音声データと共に記録部８に記録させた後（ステップＳ３４）、このフローチャートの制御を終了する。
【００７７】
なお、ここでは説明を省略するが、本実施の形態においても図６のフローチャートと同様に、撮影した画像の一部を切り出してアイコン化することもできる。
【００７８】
次にステップＳ３６から始まる撮影モードの制御について説明する。この撮影モードにおいては、まず、ユーザによりレリーズスイッチ１ａがＯＮ操作されたか否かを判定する（ステップＳ３６）。このステップＳ３６の判定において、レリーズスイッチ１ａがＯＮ操作されていないと判定した場合にはステップＳ２０に戻る。
【００７９】
一方、ステップＳ３６の判定において、レリーズスイッチ１ａがＯＮ操作されたと判定した場合には測距及び測光を行う（ステップＳ３７）。そして、測距結果に基づいて、撮影レンズ２のピント合わせを行う（ステップＳ３８）。次に、ステップＳ３７における測光結果に基づいて被写体が低輝度であるか否かを判定する（ステップＳ３９）。このステップＳ３９の判定において、被写体が低輝度であると判定した場合には、ストロボ部１１から被写体に向けてストロボ光を投光しながら露出を行った後（ステップＳ４０）、ステップＳ４２に移行する。一方、ステップＳ３９の判定において、被写体が低輝度でないと判定した場合には、通常の露出を行った後（ステップＳ４１）、ステップＳ４２に移行する。
【００８０】
露出を行った後は、画像処理部４でγ補正などの画像処理を行う（ステップＳ４２）。次に撮影した画像のアイコン画像を作成する（ステップＳ４３）。そして、記録部８に撮影画像とアイコン画像とを関連付けて記録させた後（ステップＳ４４）、このフローチャートの制御を終了する。
【００８１】
つまり、撮影モードは録音モードと異なり、画像を撮影するのに先立って測距や測光、ピント合わせを行い、また、必要に応じてストロボも使用する。
【００８２】
次に、ステップＳ４６から始まる再生モードの制御について説明する。この再生モードでは、表示部９に前述の一覧表示９ｂを行う（ステップＳ４６）。この状態でユーザによってアイコンが選択されたか否かを判定する（ステップＳ４７）。このステップＳ４７の判定においてアイコンが選択されたと判定した場合には、その選択されたアイコン画像を拡大表示するように表示を切り換える（ステップＳ４８）。次に、ＣＰＵ１は、ユーザ操作により、アイコン画像に対応するファイルを再生すると決定されたか否かを判定する（ステップＳ４９）。ステップＳ４９の判定において、アイコン画像に対応するファイルを再生すると決定された場合には、再生するファイルが音声ファイルであるか否かを判定する（ステップＳ５０）。なお、ここでの音声ファイルは動画などに付随する音声も含む。ステップＳ５０の判定において、再生するファイルが音声ファイルであると判定した場合には、そのアイコン画像に対応する音声ファイルを再生して（ステップＳ５１）、このフローチャートの制御を終了する。一方、ステップＳ５０の判定において、再生するファイルが画像ファイルであると判定した場合には、そのアイコン画像に対応する画像ファイルを再生して（ステップＳ５２）、このフローチャートの制御を終了する。
【００８３】
以上説明したように本実施の形態によれば、撮影モードでは通常のカメラに既存の撮像機能を有効に活用することにより、音声ファイルの管理が容易に行えるカメラを提供することができる。
【００８４】
また、後でパソコン等を用いてによって写真と音声とを組み合わせるような編集作業を行うときなどにおいても、ファイルの検索が容易であり、非常に使いやすい。
【００８５】
更に、録音時のアイコン画像の撮影においてはストロボの発光を禁止したり、オートフォーカス制御を行わずに固定焦点制御としたりして、アイコン画像の撮影にふさわしい撮影制御を行っている。即ち、アイコン化するための画像を撮影するので、多少のピントのずれや露出の不足は関係ない。そこで、省エネルギー及び撮影時間の短縮を考慮して、本実施の形態ではピント合わせ制御などアイコン画像撮影時に余計な制御を行わないようにしている。
【００８６】
［第３の実施の形態］
次に、本発明の第３の実施の形態について説明する。前述の第１及び第２の実施の形態では、アイコン画像の撮影時に撮影レンズ２の画角を広角側にして撮影することにより撮影時の情報量を増やしている。本発明の第３の実施の形態は、前述の第１及び第２の実施の形態よりも更に撮影時の情報量を増やして撮影することが可能な例である。図９（Ａ）に本実施の形態の機器の外観構成図を示す。
【００８７】
図９（Ａ）に示すように本実施の形態においては、レンズ鏡筒２ｂが図の矢印方向に回動可能に構成されている。このレンズ鏡筒２ｂの回動動作により、録音中の撮影範囲を変更しながら撮影を行うことが可能である。このような回動可能に構成されたレンズ鏡筒２ｂが特許請求の範囲に記載の「撮影範囲変更手段」に対応する。
【００８８】
ここで、図９（Ｂ）を用いて、本実施の形態のレンズ鏡筒２ｂの構造を説明する。この図９（Ｂ）において、ＣＰＵ１がモータ駆動部３４を介してモータ３３を回転させると、それに連動してピニオンギア３２が回転する。更にピニオンギア３２の回転はギア３１に伝わり、このギア３１の回転によりレンズ鏡筒２ｂが図９（Ｂ）の矢印方向に回動する。このような構造のレンズ鏡筒２ｂを用いれば、録音中の撮影において、より広い範囲から像を取得することが可能である。
【００８９】
このような構造のレンズ鏡筒２ｂを用いた場合のアイコン画像撮影のフローチャートを図１０に示す。図１０のフローチャートでは、まず、撮影レンズ２の画角を広角側に変更した後（ステップＳ６１）、音声の録音を開始させる（ステップＳ６２）。録音を開始させた後、マイク５から入力されてきた音声を検出してその音声の音量を検出する（ステップＳ６３）。
【００９０】
次にステップＳ６３で検出した音量が所定レベルよりも大きく変化したか否かを判定する（ステップＳ６４）。このステップＳ６４の判定において音量が所定レベルよりも大きく変化したと判定した場合には、撮影レンズ２の方向切換を行う（ステップＳ６５）。このレンズ方向の切り換えは、例えば、マイク５を介して入力されてくる音声の音量が大きくなる方向に切り換える。これは、マイク５を介して入力されてくる音量が大きい場合、機器のそばに人物などが存在する可能性が高いからである。また、音量が変化しない場合には、撮影を行わないことによりメモリ容量が節約できる。
【００９１】
ステップＳ６５において撮影レンズ２の方向を切り換えた後は、被写体の像信号を低解像度で取得する（ステップＳ６６）。次に、取得した像信号にコントラストが高い領域が存在するか否かを判定し（ステップＳ６７）、コントラストが高い領域が存在すると判定した場合には、画像処理を行った後、記録部８に記録させる（ステップＳ６８）。コントラストの低い像は情報量が少なく、アイコン画像としては好ましくないと考えられるので、このステップＳ６７の判定でそのような画像を判定して記録させないようにする。
【００９２】
ステップＳ６７で画像を記録した後は、録音が終了したか否かを判定する（ステップＳ６９）。ステップＳ６９の判定において、録音が終了していないと判定した場合には、ステップＳ６２に戻る。一方、ステップＳ６９の判定において、録音が終了したと判定した場合には、この図１０のフローチャートを抜けて図６のステップＳ９に移行して、撮影したアイコン画像の表示やユーザによる画像の選択等が行われる。
【００９３】
なお、本第３の実施の形態の変形例として、図１１で示す機器を用いて図１０のフローチャートに従った制御を行ってもよい。この図１１の機器はマイク５を複数（図１３ではマイク５ｃ及び５ｄの２つ）設けて、２方向からの音声入力を可能としたものである。この図１１の機器を用いた場合の撮影レンズ２の方向切換について、図１２のフローチャートを用いて説明する。
【００９４】
図１２のフローチャートにおいては、まず、マイク５ｃから入力される音声の音量がマイク５ｄから入力される音声の音量よりも大きいか否かを判定する（ステップＳ７０）。このステップＳ７０の判定において、マイク５ｄの音量のほうがマイク５ｃの音量よりも大きいと判定した場合には、撮影レンズ２を図１１の上向き（矢印ａ方向）に回動させて（ステップＳ７１）、このフローチャートの制御を抜ける。一方、ステップＳ７０の判定において、マイク５ｃの音量のほうがマイク５ｄの音量よりも大きいと判定した場合には、撮影レンズ２を図１１の下向き（矢印ｂ方向）に回動させて（ステップＳ７２）、このフローチャートの制御を抜ける。
【００９５】
なお、ここでは、撮影レンズ２の方向が図１０又は図１２のフローチャートに従って自動的に変更されるようになっているが、例えば、リモコン操作などによりユーザの任意で撮影レンズ２の方向を変更可能なようにしてもよい。
【００９６】
以上説明したように、本実施の形態によれば、録音中に様々な方向の画像を撮影することが可能である。
【００９７】
以上実施の形態に基づいて本発明を説明したが、本発明は前述した実施の形態に限定されるものではなく、本発明の要旨の範囲内で種々の変形や応用が可能なことは勿論である。
【００９８】
【発明の効果】
以上詳述したように、本発明によれば、記録手段内に記録されている音声ファイルの内容を直感的に認識することが可能であり、また、この音声ファイルを視覚的に容易に検索して再生することが可能な音声記録再生機器を提供することができる。
【図面の簡単な説明】
【図１】本発明の第１の実施の形態に係る音声記録再生機器の内部構成を示すブロック回路図である。
【図２】音声記録再生機器の一例としてのカメラの表示部が露出配置した状態の外観図である。
【図３】記録部に記録されたデータの概念図である。
【図４】打合せ時の内容を録音する際の例を示す図である。
【図５】画像の選択及び切り出し操作について説明するための図である。
【図６】録音時におけるアイコン画像撮影制御のフローチャートである。
【図７】本発明の第１の実施の形態に係る音声記録再生機器としてのデジタルカメラの外観図である。
【図８】カメラのメイン動作のフローチャートである。
【図９】図９（Ａ）は第３の実施の形態に係る機器の外観図であり、図９（Ｂ）はレンズ鏡筒を駆動させる機構の構造図である。
【図１０】本発明の第３の実施の形態におけるアイコン画像撮影のフローチャートである。
【図１１】第３の実施の形態の変形例の外観図である。
【図１２】第３の実施の形態の変形例において撮影レンズの向きを変更する制御手順を示すフローチャートである。
【符号の説明】１…制御部（ＣＰＵ）、１ａ…レリーズスイッチ、１ｂ…操作スイッチ部、２…撮影レンズ、２ａ…ピント制御部、３…撮像素子、３ａ，５ｂ…アナログ／デジタル（Ａ／Ｄ）変換部、４…画像処理部、５…マイク、５ａ，７ａ…アンプ、６…圧縮／伸長部、７ｂ…デジタル／アナログ（Ｄ／Ａ）変換器、７…スピーカ、８…記録部、８ａ…記録制御部、９…表示部、９ａ…ＬＣＤドライバ、１０…測距部、１１…ストロボ部
【図１】
2004266535.tif 000003
【図２】
2004266535.tif 000004
【図３】
2004266535.tif 000005
【図４】
2004266535.tif 000006
【図５】
2004266535.tif 000007
【図６】
2004266535.tif 000008
【図７】
2004266535.tif 000009
【図８】
2004266535.tif 000010
【図９】
2004266535.tif 000011
【図１０】
2004266535.tif 000012
【図１１】
2004266535.tif 000013
【図１２】
2004266535.tif 000014